(57)【要約】【課題】  板状の基材と、この基材の表面に設けられたアンテナ回路と、このアンテナ回路に電力を供給するために各導体が上記アンテナ回路に接続された給電線とを備えたアンテナにおいて、このアンテナが使用される機器に上記アンテナを設置した場合、上記アンテナから延出している給電線の延出形態にかかわらず、周波数特性や指向性が変化することを極力防止可能とする。【解決手段】  絶縁体で構成された板状の基材３と、基材３の表面に設けられたアンテナ回路５と、アンテナ回路５に電力を供給するために、各導体９、１１がアンテナ回路５に接続された給電線７とを備えたアンテナ１において、アンテナ回路５近傍における給電線７を固定するためにアンテナ回路５の近傍に設けられ、導電体で構成され、各導体９、１１のうちの１つの導体に導通している給電線固定導体１３を有する。【選択図】図１
2005110154.tif 000002
【特許請求の範囲】
【請求項１】
絶縁体で構成された板状の基材と、上記基材の表面に設けられたアンテナ回路と、上記アンテナ回路に電力を供給するために、各導体が上記アンテナ回路に接続された給電線とを備えたアンテナにおいて、
上記アンテナ回路近傍における上記給電線を固定するために上記アンテナ回路の近傍に設けられ、導電体で構成され、上記各導体のうちの１つの導体に導通している給電線固定導体を有することを特徴とするアンテナ。
【請求項２】
請求項１に記載のアンテナにおいて、
給電線固定導体が、上記基材に一体的に設けられていることを特徴とするアンテナ。
【請求項３】
請求項１に記載のアンテナにおいて、
給電線固定導体が、上記基材から分離して設けられていることを特徴とするアンテナ。
【請求項４】
請求項１〜３請求項のいずれか１項に記載のアンテナにおいて、
上記給電線は同軸ケーブルであり、
上記給電線固定導体は、上記同軸ケーブルの外側導体に接続されており、
上記給電線固定導体と上記アンテナ回路との間の距離は、１０ｍｍ〜３０ｍｍであり、
上記給電線固定導体には、上記アンテナをこのアンテナが使用される機器に設置するときに、上記給電線固定導体を上記機器を構成する導電性の大きな部材に固定するための貫通孔が設けられていることを特徴とするアンテナ。
【発明の詳細な説明】
【技術分野】
【０００１】
本発明は、アンテナに係り、特に、上記アンテナをこのアンテナが使用される機器に設置したときに、上記アンテナに電力を供給する給電線の這い回しにかかわらず、上記アンテナの特性を極力一定に保つことができるものに関する。
【背景技術】
【０００２】
従来、図１２に示すような、同軸ケーブル１０２等の給電線によって給電される平板アンテナ（平面アンテナ）１００が知られている（たとえば特許文献１参照）。
【０００３】
上記平板アンテナ１００は、小型に形成することが容易であり、したがって、図１３に示すように、ノート型パソコン１０４等の小型の機器内に装着することが容易である。
【特許文献１】特開２００３−１５２４３０号公報
【発明の開示】
【発明が解決しようとする課題】
【０００４】
従来のアンテナ１００をたとえばノート型パソコン１０４の液晶ディスプレイ（ＬＣＤ）１０６の脇に装着し、この装着したアンテナ１００が稼動するようにするためには、上記アンテナ１００から延出している同軸ケーブル１０２を、アンテナ駆動回路（図示せず）もしくはコネクタ（図示せず）まで引き回す必要がある。
【０００５】
上述のように上記アンテナ１００を設置すると、上記同軸ケーブル１０２が、たとえば、図１４や図１５に示すように、上記ＬＣＤ１０６に設けられているバックライトの金属性反射板１０８の近傍を、この反射板１０８の平面に沿って、上記同軸ケーブル１０２が長く延伸する（這い回る）。
【０００６】
ここで、図１４のＰＳ１１に示すように、同軸ケーブル１０２が延伸した場合と、図１５のＰＳ１３に示すように、同軸ケーブル１０２が延伸した場合とにおけるアンテナ１００の特性について説明する。
【０００７】
図１６は、従来のアンテナ１００の共振周波数を示す図である。
【０００８】
なお、図１６の横軸は周波数を示し、縦軸はアンテナ１００のＶＳＷＲ値（Ｖｏｌｔａｇｅ  Ｓｔａｎｄｉｎｇ  Ｗａｖｅ  Ｒａｔｉｏ）を示している。このＶＳＷＲ値が「２」より低い周波数範囲の帯域幅で、アンテナ１００が共振する。すなわち、アンテナ１００は、２ＧＨｚ（より正確には２．５ＧＨｚ）の近傍と５ＧＨｚの近傍とで共振する。
【０００９】
また、図１６に破線で示すグラフＣは、図１４のＰＳ１１で示す位置に同軸ケーブル１０２が位置している場合のアンテナ１００の特性を示し、図１６に実線で示すグラフＤは、図１５のＰＳ１３で示す位置に同軸ケーブル１０２が位置している場合のアンテナ１００の特性を示している。
【００１０】
グラフＣとグラフＤとを比較すると、アンテナ１００の共振周波数が、同軸ケーブル１０２の這い回しの形態によって大きく変化していることがわかる。
【００１１】
図１７は、２ＧＨｚ帯における従来のアンテナ１００の水平偏波の指向性を示す図である。
【００１２】
なお、図１７に破線で示すグラフＣは、図１４のＰＳ１１で示す位置に同軸ケーブル１０２が位置している場合のアンテナ１００の特性を示し、図１７に実線で示すグラフＤは、図１５のＰＳ１３で示す位置に同軸ケーブル１０２が位置している場合のアンテナ１００の特性を示している。
【００１３】
グラフＣとグラフＤとを比較すると、アンテナ１００の水平偏波の指向性が、同軸ケーブル１０２の這い回しの形態によって大きく変化していることがわかる。
【００１４】
図１８は、２ＧＨｚ帯における従来のアンテナ１００の垂直偏波の指向性を示す図である。
【００１５】
なお、図１８に破線で示すグラフＣは、図１４のＰＳ１１で示す位置に同軸ケーブル１０２が位置している場合のアンテナ１００の特性を示し、図１８に実線で示すグラフＤは、図１５のＰＳ１３で示す位置に同軸ケーブル１０２が位置している場合のアンテナ１００の特性を示している。
【００１６】
グラフＣとグラフＤとを比較すると、アンテナ１００の垂直偏波の指向性が、同軸ケーブル１０２の這い回しの形態によって若干変化していることがわかる。
【００１７】
図１９は、５ＧＨｚ帯における従来のアンテナ１００の水平偏波の指向性を示す図である。
【００１８】
なお、図１９に破線で示すグラフＣは、図１４のＰＳ１１で示す位置に同軸ケーブル１０２が位置している場合のアンテナ１００の特性を示し、図１９に実線で示すグラフＤは、図１５のＰＳ１３で示す位置に同軸ケーブル１０２が位置している場合のアンテナ１００の特性を示している。
【００１９】
グラフＣとグラフＤとを比較すると、アンテナ１００の水平偏波の指向性が、同軸ケーブル１０２の這い回しの形態によって大きく変化していることがわかる。
【００２０】
図２０は、５ＧＨｚ帯における従来のアンテナ１００の垂直偏波の指向性を示す図である。
【００２１】
なお、図２０に破線で示すグラフＣは、図１４のＰＳ１１で示す位置に同軸ケーブル１０２が位置している場合のアンテナ１００の特性を示し、図２０に実線で示すグラフＤは、図１５のＰＳ１３で示す位置に同軸ケーブル１０２が位置している場合のアンテナ１００の特性を示している。
【００２２】
グラフＣとグラフＤとを比較すると、アンテナ１００の水平偏波の指向性が、同軸ケーブル１０２の這い回しの形態によって大きく変化していることがわかる。
【００２３】
上述したように、従来のアンテナ１００では、このアンテナ１００から延出している同軸ケーブル等の給電線の這い回し方、すなわち、這い回しの形態によって、アンテナ１００の特性が変化するという問題がある。
【００２４】
本発明は、上記問題点に鑑みてなされたものであり、板状の基材と、この基材の表面に設けられたアンテナ回路と、このアンテナ回路に電力を供給するために各導体が上記アンテナ回路に接続された給電線とを備えたアンテナにおいて、このアンテナが使用される機器に上記アンテナを設置した場合、上記アンテナから延出している給電線の延出形態にかかわらず、周波数特性や指向性が変化することを極力防止可能なアンテナを提供することを目的とする。
【課題を解決するための手段】
【００２５】
請求項１に記載の発明は、絶縁体で構成された板状の基材と、上記基材の表面に設けられたアンテナ回路と、上記アンテナ回路に電力を供給するために、各導体が上記アンテナ回路に接続された給電線とを備えたアンテナにおいて、上記アンテナ回路近傍における上記給電線を固定するために上記アンテナ回路の近傍に設けられ、導電体で構成され、上記各導体のうちの１つの導体に導通している給電線固定導体を有するアンテナである。
【００２６】
請求項２に記載の発明は、請求項１に記載のアンテナにおいて、給電線固定導体が、上記基材に一体的に設けられているアンテナである。
【００２７】
請求項３に記載の発明は、請求項１に記載のアンテナにおいて、給電線固定導体が、上記基材から分離して設けられているアンテナである。
【００２８】
請求項４に記載の発明は、請求項１〜３請求項のいずれか１項に記載のアンテナにおいて、上記給電線は同軸ケーブルであり、上記給電線固定導体は、上記同軸ケーブルの外側導体に接続されており、上記給電線固定導体と上記アンテナ回路との間の距離は、１０ｍｍ〜３０ｍｍであり、上記給電線固定導体には、上記アンテナをこのアンテナが使用される機器に設置するときに、上記給電線固定導体を上記機器を構成する導電性の大きな部材に固定するための貫通孔が設けられているアンテナである。
【発明の効果】
【００２９】
本発明によれば、板状の基材と、この基材の表面に設けられたアンテナ回路と、このアンテナ回路に電力を供給するために各導体が上記アンテナ回路に接続された給電線とを備えたアンテナにおいて、このアンテナが使用される機器に上記アンテナを設置した場合、上記アンテナから延出している給電線の延出形態にかかわらず、周波数特性や指向性が変化することを極力防止することができるという効果を奏する。
【発明を実施するための最良の形態】
【００３０】
［第１の実施形態］
図1は、本発明の第１の実施形態に係るアンテナ１の概略構成を示す図である。
【００３１】
アンテナ１は、ポリイミド系の樹脂等の絶縁体（誘電体）で、たとえば可撓性を備えるように薄く形成された板状の基材３を備え、この基材３の表面（ひょうめん）には、アンテナ回路５が長く延びて薄く設けられている。上記アンテナ回路は、銅等の導体で構成され、たとえばエッチング等によって形成されている。
【００３２】
アンテナ回路５には、上記アンテナ回路５に電力を供給するための給電線の例である同軸ケーブル７の中心導体（内側導体）９と外側導体１１との各導体が接続されて導通している。
【００３３】
また、基材３の表面（たとえば、アンテナ回路５が設けられている側の面）であって、上記アンテナ回路の近傍には、給電線固定導体１３が一体的に設けられている。この給電線固定導体１３は、たとえば、アンテナ回路５と同様に銅等の導電体で構成され、エッチング等によって、アンテナ回路５とほぼ同時に形成されたものである。
【００３４】
さらに、給電線固定導体１３は、上記アンテナ１をこのアンテナ１が使用されるノート型パソコン等の機器に設置したときに、上記アンテナ回路５の近傍における上記同軸ケーブル７を固定するために設けられたものであり、同軸ケーブル７の外側導体１１に接続されて導通している。
【００３５】
具体例を掲げてより詳しく説明すると、アンテナ回路５は、たとえば、「コ」字状に形成されており、互いに平行な第１延伸部位５Ａと第２延伸部位５Ｂとを具備している。給電線固定導体１３は、長方形状に形成されて上記アンテナ回路５から上記第２延伸部位側に離隔して設けられている。なお、上記給電線固定導体１３と上記アンテナ回路５（第２延伸部位５Ｂ）との間の距離Ｌ１は、たとえば、１０ｍｍ〜３０ｍｍ（好ましくは２０ｍｍ）になっている。
【００３６】
同軸ケーブル７は、先端部７Ａから所定の長さだけ中心導体９の部位９Ａが露出しており、この中心導体９の部位９Ａの露出に続いて、中心導体９と外側導体１１との間に設けられている被覆部材１５が所定の長さだけ露出しており、この被覆部材１５の露出に続いて、外側導体１１の部位１１Ａが所定の長さだけ露出している。
【００３７】
さらに、上記外側導体１１の部位１１Ａの露出に続いて、外側導体１１の外側を覆っているシース１７の一部１７Ａが所定の長さ設けられており、このシース１７の一部１７Ａに続いて、外側導体１１の部位１１Ｂが所定の長さだけ露出し、この外側導体１１の部位１１Ｂよりも後側（アンテナ回路５から離反する側）では、シース１７で被覆された同軸ケーブル７が延伸している。なお、同軸ケーブル７の基端部側は、図示しないアンテナ駆動回路等に接続されるものである。
【００３８】
そして、上記部位９Ａは、上記第１延伸部位５Ａの中間部で上記第１延伸部位５Ａに接続されており、上記部位１１Ａは、上記第２延伸部位５Ｂの中間部で上記第２延伸部位５Ｂに接続されており、上記部位１１Ｂは、上記給電線固定導体１３に接続されている。なお、上記各接続は、たとえば、はんだ付け等によってなされている。
【００３９】
上記給電線固定導体１３には、上記アンテナ１をこのアンテナ１が使用される機器に設置するときに、上記給電線固定導体１３を上記機器を構成する導電性の大きな部材、たとえばノート型パソコンのＬＣＤに設けられているバックライトの反射板に固定するための貫通孔１３Ａが設けられている。なお、上記貫通孔１３Ａは、基材３をも貫通しており、この貫通孔１３Ａと導電性を備えたボルトやリベット等の締結部材を用いて、上記給電線固定導体１３（外側導体１１）が、上記反射板等に導通接続されるようになっている。
【００４０】
図２、図３は、アンテナ１を、ノート型パソコン等の機器に搭載（設置）した状態を示す図である。
【００４１】
アンテナ１のアンテナ回路５は、ＬＣＤのバックライトの金属性反射板１９から僅かに離隔した位置に設置されているが、アンテナ１の給電線固定導体１３は、ボルトＢＴ１によって上記反射板１９に固定されている。
【００４２】
図２と図３とにおいて、アンテナ１の基材３と上記反射板１９との相対的な位置関係、およびアンテナ回路５と給電線固定導体１３との間の同軸ケーブル７の延伸形態は、同じになっているが、給電線固定導体１３よりも後側の同軸ケーブル７の引き回しの形態が図２と図３とでは異なっている。
【００４３】
すなわち、図２では、上記後側の同軸ケーブル７が、反射板１９の平面に沿ってＰＳ１に示すように蛇行の小さい状態で延伸しているのに対し、図３では、上記後側の同軸ケーブル７が、反射板１９の平面に沿ってＰＳ３に示すように蛇行が大きい状態で延伸している。
【００４４】
次に、アンテナ１の動作について説明する。
【００４５】
アンテナ１をこのアンテナが使用されるノート型パソコン等の機器に設置し、上記アンテナ駆動回路から上記同軸ケーブル７を介して上記アンテナ回路５に給電すると、アンテナ回路に電流が流れると共に、たとえば、上記アンテナ回路５の第１延伸部位５Ａと上記第２延伸部位５Ｂとの間に、上記基材（誘電体で形成されているので、コンデンサとしての機能も併せ持つ基材）３をも介して高周波電流が流れ、アンテナ１から電波が発射される。なお、アンテナ１は、図４に示すように、２ＧＨｚ帯と５ＧＨｚ帯との２つの帯域の共振周波数に対応可能になっている。
【００４６】
また、アンテナ回路５と給電線固定導体１３との間の同軸ケーブル７は固定され、同軸ケーブル７の外側導体１１が大きな導電性の反射板１９に導通しているので、アンテナ１が電波を発射している状態において、図２や図３に示すＰＳ１やＰＳ３のように、給電線固定導体１３よりも後側の同軸ケーブル（反射板１９に沿って延伸している同軸ケーブル）７の這い回しの形態が変化しても、アンテナ１の特性の変動は少ない。
【００４７】
ここで、図２や図３におけるアンテナ１の試験結果を掲げて、アンテナ１の特性を説明する。すなわち、図２のＰＳ１に示すように同軸ケーブル７が延伸している場合と、図３のＰＳ３に示すように同軸ケーブル７が延伸している場合とにおけるアンテナ１の特性について説明する。
【００４８】
図４は、アンテナ１の共振周波数を示す図である。
【００４９】
なお、図４の横軸はアンテナ１の周波数を示し縦軸はＶＳＷＲ値を示している。上述したように、このＶＳＷＲ値が「２」より低い周波数範囲の帯域幅で、アンテナ１が共振周波数を発生可能となる。すなわち、アンテナ１は、２ＧＨｚの近傍（２ＧＨｚ帯）と５ＧＨｚの近傍（５ＧＨｚ帯）とで共振周波数を発生するようになっている。
【００５０】
また、図４に破線で示すグラフＡは、図２のＰＳ１で示す位置に同軸ケーブル７が位置している場合のアンテナ１の特性を示し、図４に実線で示すグラフＢは、図３のＰＳ３で示す位置に同軸ケーブル７が位置している場合のアンテナ１の特性を示している。
【００５１】
グラフＡとグラフＢとを比較すると、アンテナ１の周波数特性が、同軸ケーブル７の這い回しの形態によってはほとんど変化していないことがわかる。
【００５２】
図５は、２ＧＨｚ帯におけるアンテナ１の水平偏波の指向性を示す図である。
【００５３】
なお、図５に破線で示すグラフＡは、図２のＰＳ１で示す位置に同軸ケーブル７が位置している場合のアンテナ１の特性を示し、図５に実線で示すグラフＢは、図３のＰＳ３で示す位置に同軸ケーブル７が位置している場合のアンテナ１の特性を示している。
【００５４】
グラフＡとグラフＢとを比較すると、アンテナ１の水平偏波の指向性が、同軸ケーブル７の這い回しの形態によってはほとんど変化していないことがわかる。
【００５５】
図６は、２ＧＨｚ帯におけるアンテナ１の垂直偏波の指向性を示す図である。
【００５６】
なお、図６に破線で示すグラフＡは、図２のＰＳ１で示す位置に同軸ケーブル７が位置している場合のアンテナ１の特性を示し、図６に実線で示すグラフＢは、図３のＰＳ３で示す位置に同軸ケーブル７が位置している場合のアンテナ１の特性を示している。
【００５７】
グラフＡとグラフＢとを比較すると、アンテナ１の垂直偏波の指向性が、同軸ケーブル７の這い回しの形態によってはほとんど変化していないことがわかる。
【００５８】
図７は、５ＧＨｚ帯におけるアンテナ１の水平偏波の指向性を示す図である。
【００５９】
なお、図７に破線で示すグラフＡは、図２のＰＳ１で示す位置に同軸ケーブル７が位置している場合のアンテナ１の特性を示し、図７に実線で示すグラフＢは、図３のＰＳ３で示す位置に同軸ケーブル７が位置している場合のアンテナ１の特性を示している。
【００６０】
グラフＡとグラフＢとを比較すると、アンテナ１の水平偏波の指向性が、同軸ケーブル７の這い回しの形態によってはほとんど変化していないことがわかる。
【００６１】
図８は、５ＧＨｚ帯におけるアンテナ１の垂直偏波の指向性を示す図である。
【００６２】
なお、図８に破線で示すグラフＡは、図２のＰＳ１で示す位置に同軸ケーブル７が位置している場合のアンテナ１の特性を示し、図８に実線で示すグラフＢは、図３のＰＳ３で示す位置に同軸ケーブル７が位置している場合のアンテナ１の特性を示している。
【００６３】
グラフＡとグラフＢとを比較すると、アンテナ１の垂直偏波の指向性が、同軸ケーブル７の這い回しの形態によってはほとんど変化していないことがわかる。
【００６４】
アンテナ１において、上記給電線固定導体１３によってアンテナ回路５近傍の同軸ケーブル７がＬＣＤのバックライト等の大きな金属部材（導電体）１９に固定されることによって、この固定された部位よりもアンテナ駆動回路側（半アンテナ回路側）に延伸している同軸ケーブル７の引き回しの形態が上記金属性反射板１９の回りで変化しても、図４〜図８に示すように、アンテナ１の特性が大きく変化することはない。
【００６５】
したがって、アンテナ１によれば、上記アンテナ１が使用されるノート型パソコン等の機器に上記アンテナ１を設置した場合、上記アンテナ１から延出している同軸ケーブル７等の給電線の延出状態にかかわらず、周波数特性や指向性が変化することを極力防止することができる。
【００６６】
また、アンテナ１によれば、給電線固定導体１３が基材３に一体的に設けられているので、アンテナ１の構成が簡素になっている。また、エッチング等によって、アンテナ回路５と給電線固定導体１３とを基材３の表面に同時に形成することができるので、アンテナ１の製造が容易であると共に、アンテナ回路５と給電線固定導体１３との相対的な位置関係を正確なものにすることが容易である。
【００６７】
また、アンテナ１によれば、同軸ケーブル７を採用し、この同軸ケーブル７の外側導体（被覆材を介して中心導体９を覆っている外側導体）１１を給電線固定導体１３に接続しているので、上記アンテナ１から延出している同軸ケーブル７の延出状態にかかわらず、アンテナ１の周波数特性や指向性が変化することを一層確実に防止することができる。
【００６８】
また、上記給電線固定導体１３と上記アンテナ回路５との間の距離が、上記給電線固定導体１３よりもアンテナ駆動回路側（アンテナ回路とは反対側；反アンテナ回路側）に延伸している同軸ケーブル７の長さに比べて短く、１０ｍｍ〜２０ｍｍになっているので、反アンテナ回路側に延伸している同軸ケーブル７の引き回しを自由にすることができ、アンテナ１の設置態様の自由度が向上する。
【００６９】
さらに、上記給電線固定導体１３に貫通孔１３Ａが設けられているので、この貫通孔１３Ａと導電性を備えたボルトＢＴ１等の締結具を使用して、上記給電線固定導体１３を、金属製のＬＣＤの反射板１９等、アンテナ１が設置される機器に設けられている大きな導体に固定することが容易になっている。
【００７０】
［第２の実施形態］
図９は、本発明の第２の実施形態に係るアンテナ３１の概略構成を示す図である。
【００７１】
アンテナ３１は、給電線固定導体３３が、基材３５から分離して設けられている点が、上記第１の実施形態に係るアンテナ１とは異なり、その他の点は、上記アンテナ１とほぼ同様に構成され同様に動作しほぼ同様の効果を奏する。
【００７２】
なお、給電線固定導体３３は、たとえば、薄い板状の銅板等で長方形状に形成されており、第１の実施形態に係る給電線固定導体１３と同様に貫通孔３３Ａを備えている。
【００７３】
図１０、１１は、アンテナ３１を、ノート型パソコン等の機器に搭載（設置）した状態を示す図であり、図１０が図２と対応し、図１１が図３と対応しているものである。
【００７４】
アンテナ３１によれば、給電線固定導体３３が、基材３５から分離して設けられているので、アンテナ３１を設置した場合、アンテナ回路５と給電線固定導体３３との間の同軸ケーブル７の引き回しの形態を変形することができ、アンテナ１の設置箇所のスペースの状況に対応してアンテナ１を設置することができる。
【図面の簡単な説明】
【００７５】
【図１】本発明の第１の実施形態に係るアンテナの概略構成を示す図である。
【図２】アンテナをノート型パソコン等の機器に搭載した状態を示す図である。
【図３】アンテナをノート型パソコン等の機器に搭載した状態を示す図である。
【図４】アンテナの共振周波数を示す図である。
【図５】２ＧＨｚ帯におけるアンテナの水平偏波の指向性を示す図である。
【図６】２ＧＨｚ帯におけるアンテナの垂直偏波の指向性を示す図である。
【図７】５ＧＨｚ帯におけるアンテナの水平偏波の指向性を示す図である。
【図８】５ＧＨｚ帯におけるアンテナの垂直偏波の指向性を示す図である。
【図９】本発明の第２の実施形態に係るアンテナの概略構成を示す図である。
【図１０】アンテナをノート型パソコン等の機器に搭載した状態を示す図である。
【図１１】アンテナをノート型パソコン等の機器に搭載した状態を示す図である。
【図１２】従来のアンテナの概略構成を示す図である
【図１３】従来のアンテナをノート型パソコン等の機器に装着した状態を示す図である。
【図１４】従来のアンテナをノート型パソコン等の機器に搭載した状態を示す図である。
【図１５】従来のアンテナをノート型パソコン等の機器に搭載した状態を示す図である。
【図１６】従来のアンテナの共振周波数を示す図である。
【図１７】２ＧＨｚ帯における従来のアンテナの水平偏波の指向性を示す図である。
【図１８】２ＧＨｚ帯における従来のアンテナの垂直偏波の指向性を示す図である。
【図１９】５ＧＨｚ帯における従来のアンテナの水平偏波の指向性を示す図である。
【図２０】５ＧＨｚ帯における従来のアンテナの垂直偏波の指向性を示す図である。
【符号の説明】
【００７６】
１、３１  アンテナ
３、３５  基材
５  アンテナ回路
７  同軸ケーブル
９  中心導体
１１  外側導体
１３、３３  給電線固定導体
１３Ａ、３３Ａ  貫通孔
１９  反射板
【図１】
2005110154.tif 000003
【図２】
2005110154.tif 000004
【図３】
2005110154.tif 000005
【図４】
2005110154.tif 000006
【図５】
2005110154.tif 000007
【図６】
2005110154.tif 000008
【図７】
2005110154.tif 000009
【図８】
2005110154.tif 000010
【図９】
2005110154.tif 000011
【図１０】
2005110154.tif 000012
【図１１】
2005110154.tif 000013
【図１２】
2005110154.tif 000014
【図１３】
2005110154.tif 000015
【図１４】
2005110154.tif 000016
【図１５】
2005110154.tif 000017
【図１６】
2005110154.tif 000018
【図１７】
2005110154.tif 000019
【図１８】
2005110154.tif 000020
【図１９】
2005110154.tif 000021
【図２０】
2005110154.tif 000022